(57)【要約】      （修正有）【課題】電磁波ノイズの影響による無線通信の性能低下を抑える。【解決手段】操作部６の基板に形成されるアンテナ部４と、外付けのロッドアンテナからなる外部アンテナ９の２つのアンテナを搭載し、制御部１は、アンテナ部４で受信する無線信号(電波)の受信強度が所定のしきい値よりも低い場合、接続部５を制御して外部アンテナ９を無線通信部３に切替接続する。その結果、アンテナ部５で受信する場合に比べて、外部アンテナ９で受信する場合の方が、設備機器や工作機械から発生する電磁波ノイズの影響を受け難くなり、電磁波ノイズの影響による無線通信の性能低下を抑えることができる。【選択図】図１
2013172159.tif 000002
【特許請求の範囲】
【請求項１】
記号や文字あるいは画像などを表示する表示部と、前記表示部の表示面に対する操作位置を検出する操作部と、電波を媒体とした無線通信を行う無線通信部と、前記電波を送信及び受信するためのアンテナ部と、前記表示部の表示面における前記操作位置の表示内容に対応した操作入力を受け付けて前記操作入力に応じた情報を含む無線信号を前記無線通信部から前記アンテナ部を通じて送信させ、且つ前記無線通信部で受信する無線信号に含まれる情報に応じて前記表示部の表示内容を変更する制御部と、前記制御部に制御され、前記アンテナ部と外部アンテナを択一的に切り替えて前記無線通信部に接続する接続部とを備えることを特徴とする表示装置。
【請求項２】
前記アンテナ部は、透光性を有する導電体が透光性を有する基板の表面に形成されてなり、前記表示部の表示領域の外側に配置されることを特徴とする請求項１記載の表示装置。
【請求項３】
前記アンテナ部は、偏波ダイバーシティ方式の複数のアンテナからなることを特徴とする請求項２記載の表示装置。
【請求項４】
前記アンテナ部は、アレイアンテナからなることを特徴とする請求項２又は３記載の表示装置。
【発明の詳細な説明】
【技術分野】
【０００１】
本発明は、表示装置に関する。
【背景技術】
【０００２】
従来の表示装置として、特許文献１に記載されたものがある。この従来例は、後背部分の筐体と、前面部分の支持部およびタッチパネルとで構成される。タッチパネルは、タッチ操作が有効な領域である操作部と、その周囲に形成される周縁部とを有する。タッチパネルの背面側には液晶パネルのようなディスプレイパネルが設けられている。また周縁部には、無線通信用のアンテナが設けられている。すなわち、この従来例は、タッチパネルの操作部から入力される情報(入力情報)を含む無線信号をアンテナから送信し、さらに、アンテナで受信する無線信号に含まれる情報をディスプレイパネルに表示させる。なお、この従来例は、ＦＡ(Factory Automation)分野での設備機器の管理や工作機械の操作盤などに用いられている。
【先行技術文献】
【特許文献】
【０００３】
【特許文献１】特開２００６−４８１６６号公報
【発明の概要】
【発明が解決しようとする課題】
【０００４】
しかしながら、特許文献１記載の従来例では、タッチパネルの周縁部に形成されるアンテナの性能がそれほど高くないため、設備機器や工作機械から発生する電磁波ノイズの影響により、表示装置が正常に無線通信できない場合がある。
【０００５】
本発明は、上記課題に鑑みて為されたものであり、電磁波ノイズの影響による無線通信の性能低下を抑えることを目的とする。
【課題を解決するための手段】
【０００６】
本発明の表示装置は、記号や文字あるいは画像などを表示する表示部と、前記表示部の表示面に対する操作位置を検出する操作部と、電波を媒体とした無線通信を行う無線通信部と、前記電波を送信及び受信するためのアンテナ部と、前記表示部の表示面における前記操作位置の表示内容に対応した操作入力を受け付けて前記操作入力に応じた情報を含む無線信号を前記無線通信部から前記アンテナ部を通じて送信させ、且つ前記無線通信部で受信する無線信号に含まれる情報に応じて前記表示部の表示内容を変更する制御部と、前記制御部に制御され、前記アンテナ部と外部アンテナを択一的に切り替えて前記無線通信部に接続する接続部とを備えることを特徴とする。
【０００７】
この表示装置において、前記アンテナ部は、透光性を有する導電体が透光性を有する基板の表面に形成されてなり、前記表示部の表示領域の外側に配置されることが好ましい。
【０００８】
この表示装置において、前記アンテナ部は、偏波ダイバーシティ方式の複数のアンテナからなることが好ましい。
【０００９】
この表示装置において、前記アンテナ部は、アレイアンテナからなることが好ましい。
【発明の効果】
【００１０】
本発明の表示装置は、制御部が接続部を制御して外部アンテナを無線通信部に切替接続することにより、設備機器や工作機械から発生する電磁波ノイズの影響を受け難くなり、電磁波ノイズの影響による無線通信の性能低下を抑えることができるという効果がある。
【図面の簡単な説明】
【００１１】
【図１】本発明に係る表示装置の実施形態を示すブロック図である。
【図２】同上を示し、(ａ)は分解斜視図、(ｂ)は斜視図である。
【図３】同上の外部アンテナが同軸ケーブルで接続された場合の斜視図である。
【図４】(ａ)，(ｂ)は同上におけるアンテナ部の概略構成図である。
【発明を実施するための形態】
【００１２】
本実施形態の表示装置は、図１に示すように制御部１、表示部２、無線通信部３、アンテナ部４、接続部５、操作部６、記憶部７、電源部８、外部アンテナ９などを備える。
【００１３】
制御部１は、マイクロコントローラ(MCU:Micro-Control Unit)を主構成要素とし、マイクロコントローラが種々のプログラムを実行することにより、後述する様々な処理を行う。記憶部７は、フラッシュメモリなどの電気的に書換可能な不揮発性半導体メモリからなり、制御部１が行う処理に必要な情報を記憶している。
【００１４】
無線通信部３は、電波を媒体とした無線通信を行うものであって、例えば、電波法に規定されている特定小電力無線局の規定に準拠した無線通信用の集積回路などで構成されている。
【００１５】
表示部２は、液晶ディスプレイなどの表示デバイスと、制御部１に制御されて表示デバイスを駆動する駆動回路とを有する。操作部６は、例えば、抵抗膜式や静電容量式のタッチパネルからなり、表示部２の表示面と重なるように配置される。操作部６を構成するタッチパネルは、透光性を有する基板(ガラス基板やポリエチレンテレフタレート、ポリエチレンナフタレート、アラミドなどの樹脂製フィルム基板)に透明導電膜が形成されて構成される。ただし、この種のタッチパネルは従来周知であるから、詳細な構造についての図示並びに説明は省略する。
【００１６】
例えば、表示部２の表示面に複数の押しボタンの図形が表示されている場合、制御部１は、操作部６で検出される操作位置(人の指が触れた位置)と押しボタンの図形が表示されている位置とを比較する。そして、制御部１は、操作位置に重なる位置に表示されている押しボタンが操作されたとみなし、その押しボタンに対応する操作入力を受け付ける。
【００１７】
電源部８は、商用の交流電源から供給される交流電力を直流電力に変換して各部１〜７に供給する。
【００１８】
アンテナ部５は、操作部６のタッチパネルを構成する基板60の表面に形成される透明導電膜で構成されている。基板60は、表示部２の表示デバイスの表示面(以下、表示部２の表示面と略す。)よりも大きい寸法に形成されており、表示面と重なる範囲の外側にアンテナ部５が形成されている(図２参照)。アンテナ部５は、偏波ダイバーシティ方式の複数(図示例では２つ)のアンテナ50，51からなる。一方のアンテナ50は、基板60の長手方向(図２における左右方向)の一端部に設けられている。他方のアンテナ51は、基板60の短手方向(図２における上下方向)の一端部に設けられている。接続部５は、アンテナ部５と外部アンテナ９を択一的に切り替えて無線通信部３に接続する。ただし、接続部５は、制御部１に制御されることで切替を実行する。
【００１９】
図２は本実施形態の表示装置の外観構造を示している。器体10は、合成樹脂又は金属板によって矩形箱形に形成され、制御部１、表示部２、無線通信部３、接続部５、記憶部７、電源部８を内部に収納している。器体10の前面には矩形枠状の枠部11が取り付けられる。なお、操作部６は枠部11の内側に収まっており、表示部２の表示面と枠部11との間にアンテナ部５が露出している(図２(ｂ)参照)。
【００２０】
外部アンテナ９は、図２(ｂ)に示すように器体10の上面に着脱自在に取り付けられるロッドアンテナ(モノポールアンテナ)からなる。ただし、図３に示すように外部アンテナ９に台座90が設けられ、同軸ケーブル91によって器体10のアンテナ端子(図示せず)に接続されてもよい。
【００２１】
本実施形態の表示装置は、設備機器や各種のセンサ装置などとの間で無線通信を行い、受信した情報(設備機器の動作状態やセンサ装置の検出値など)を表示部２に表示する。また、表示装置は、操作部６から入力される操作入力に応じた情報(設備機器やセンサ装置に対する制御情報など)を無線信号によって送信する。
【００２２】
ここで、操作部６の基板60に形成されるアンテナ部５と、外付けのロッドアンテナからなる外部アンテナ９とを比較した場合、材料や構造などの点で、外部アンテナ９の方がアンテナ部５よりも耐ノイズ性が高いと考えられる。そこで、制御部１は、アンテナ部５で受信する無線信号(電波)の受信強度が所定のしきい値よりも低い場合、接続部５を制御して外部アンテナ９を無線通信部３に切替接続する。その結果、アンテナ部５で受信する場合に比べて、外部アンテナ９で受信する場合の方が、設備機器や工作機械から発生する電磁波ノイズの影響を受け難くなり、電磁波ノイズの影響による無線通信の性能低下を抑えることができる。
【００２３】
なお、アンテナ部５は、図４(ａ)に示すように複数(図示例では５個)のアンテナ素子53が直列に接続されたアレイアンテナや、図４(ｂ)に示すように複数(図示例では５個)のアンテナ素子54がそれぞれに位相器55を介して並列接続されたアレイアンテナでもよい。
【符号の説明】
【００２４】
１  制御部
２  表示部
３  無線通信部
４  アンテナ部
５  接続部
６  操作部
９  外部アンテナ
【図１】
2013172159.tif 000003
【図２】
2013172159.tif 000004
【図３】
2013172159.tif 000005
【図４】
2013172159.tif 000006